(57)【要約】【課題】小型化を図っても熱発生源要素３０で発生した熱気が中央処理装置４０に影響しないようにした画像データのプリント注文受付装置を提供することを課題とする。【解決手段】この画像データのプリント注文受付装置は、記録媒体に記録された複数の画像データを読み取り、該画像データを表示し、そして任意の画像データを選択する入出力装置２０と、電源３１や記憶装置３２などの熱発生源要素３０と、前記入出力装置２０と記憶装置３２とを制御する発熱性の中央処理装置４０とが一つの筐体１０内に備えられている。そして、前記熱発生源要素３０と中央処理装置４０とをそれぞれ格納する第１と第２の隔室５０，６０内が離間して設けられ、該各隔室５０，６０に排気口５３，６３と吸気口５２，６２とが形成され、一方の隔室５０に形成された吸気口５２，６２が他方の隔室６０に形成された排気口５３，６３から排気された熱気を吸引しないように配置されている。【選択図】図２
2007265142.tif 000002
【特許請求の範囲】
【請求項１】
記録媒体に記録された複数の画像データを読み取り、該画像データを表示し、そして任意の画像データを選択する入出力装置と、電源や記憶装置などの熱発生源要素と、前記入出力装置や記憶装置などを制御する発熱性の中央処理装置とが一つの筐体内に備えられている画像データのプリント注文受付装置において、
前記熱発生源要素と中央処理装置とをそれぞれ格納する隔室が離間して設けられ、該各隔室に排気口と吸気口とが形成され、一方の隔室に形成された吸気口が他方の隔室に形成された排気口から排気された熱気を吸引しないように配置されていることを特徴とする画像データのプリント注文受付装置。
【請求項２】
前記隔室には、内部の熱気を前記排気口から強制的に排気するためのファンが備えられていることを特徴とする請求項１に記載の画像データのプリント注文受付装置。
【請求項３】
前記隔室は、前記筐体と筐体内を仕切る仕切板とによって形成されていることを特徴とする請求項１または２に記載の画像データのプリント注文受付装置。
【請求項４】
前記筐体は、土台部と、該土台部から傾斜した姿勢に立設された起立部とを有し、前記土台部内に前記熱発生源要素を格納した隔室が設けられ、前記起立部内に前記中央処理装置を格納した隔室が設けられていることを特徴としている請求項１ないし３のいずれか１項に記載の画像データのプリント注文受付装置。
【発明の詳細な説明】
【技術分野】
【０００１】
本発明は、各種メモリーカードやＣＤ−ＲＯＭなどの各種メディア（記録媒体）に記録された画像データを読み取り、プリントしたい画像データを任意に選択することができるようにした画像データのプリント注文受付装置に関し、詳しくは、中央処理装置（ＣＰＵ）、電源、ハードディスクドライブ（ＨＤＤ）など発熱する要素が一つの筐体内に備えられている画像データのプリント注文受付装置に関する。
【背景技術】
【０００２】
デジタルスチルカメラで撮影された画像は、各種メモリーカードやＣＤ−ＲＯＭなどの記録媒体に保存されるが、この記録媒体がＤＰＥ店に持ち込まれ、ＤＰＥ店において画像がプリントされる場合がある。ＤＰＥ店の店頭には、画像データのプリント注文受付装置が設置されており、この画像データのプリント注文受付装置によってプリントしたい画像や枚数が選択される。この画像データのプリント注文受付装置は、入出力装置、記憶装置、中央処理装置などを備え、これらが一つの筐体内に収納されている。
【０００３】
前記入出力装置は、記録媒体を装填し、記録媒体に記録された画像データを読み取る読取装置、この読み取られた画像データを表示し、プリントしたい画像や枚数などを選択できるタッチパネル、選択された画像の情報や受付証などを印刷するプリンタなどを備えている。前記読取装置は、記録媒体ごと、すなわち各種メモリーカードやＣＤ−ＲＯＭをそれぞれ装填する個別のスロットを備えている。また、前記タッチパネルは、例えば液晶表示装置によって構成されている。また、前記プリンタは、ロール状の記録紙を保持するホルダー、このホルダーを駆動するモータ、記録紙に印刷するサーマルプリントヘッドなどを備えており、情報を印刷した記録紙を排出するためのスリットが筐体に形成されている。
【０００４】
そして、前記記憶装置は、ハードディスクドライブによって構成されている。また、中央処理装置は、マザーボードに搭載されたＣＰＵによって構成され、ＣＰＵ上には、冷却装置が取り付けられている。そして、前記読取装置、タッチパネル、プリンタ、記憶装置、マザーボードの各コネクタにはケーブルが接続され、信号が送受信される。また、筐体内には、主電源と副電源とが備えられており、プリンタ以外の装置が主電源と接続され、プリンタが副電源に接続されている。
【０００５】
このように構成された画像データのプリント注文受付装置は、写真処理装置やプリンタ装置といった画像形成装置と接続され、この画像形成装置によって、選択された画像が印画紙に印刷される。
【０００６】
ところで、画像データのプリント注文受付装置は、ＤＰＥ店の店頭に設置されるため、小型化の要請がある。しかし、画像データのプリント注文受付装置は、一つの筐体内に電源や記憶装置などの熱発生源要素や中央処理装置などが収納されているため、単に小型化しただけでは、これらから発生する熱が筐体内にこもり、中央処理装置が誤動作することもあり得る。
【０００７】
なお、放熱効果を高めたノート型コンピュータが特許文献１に開示されている。このノート型コンピュータは、ＣＰＵを搭載したマザーボードを表示部の背面に配置し、ハードディスクドライブやバッテリなどを本体部に配置したことを特徴としている。
【０００８】
【特許文献１】特開２００２−９１６１１号公報
【発明の開示】
【発明が解決しようとする課題】
【０００９】
特許文献１に開示されたノート型パソコンは、熱の発生源であるＣＰＵとハードディスクドライブおよびバッテリとを離間して配置し、発熱部が局部に集中しないようにしたにすぎない。したがって、画像データのプリント注文受付装置においては、熱発生源要素と中央処理装置とを離間したとしても、これらが一つの筐体内に収納されている以上、熱発生源要素で発生した熱気が中央処理装置に影響することは避けられず、誤動作しないようにすることは困難である。
【００１０】
そこで、本発明は、小型化を図っても熱発生源要素で発生した熱気が中央処理装置に影響しないようにした画像データのプリント注文受付装置を提供することを課題とする。
【課題を解決するための手段】
【００１１】
本発明に係る画像データのプリント注文受付装置は、記録媒体に記録された複数の画像データを読み取り、該画像データを表示し、そして任意の画像データを選択する入出力装置と、電源や記憶装置などの熱発生源要素と、前記入出力装置や記憶装置などを制御する発熱性の中央処理装置とが一つの筐体内に備えられている画像データのプリント注文受付装置において、前記熱発生源要素と中央処理装置とをそれぞれ格納する隔室が離間して設けられ、該各隔室に排気口と吸気口とが形成され、一方の隔室に形成された吸気口が他方の隔室に形成された排気口から排気された熱気を吸引しないように配置されていることを特徴としている。
【００１２】
この画像データのプリント注文受付装置によれば、電源や記憶装置などの熱発生源要素と中央処理装置とがそれぞれ離間して設けられた隔室内に格納され、各隔室に吸気口と排気口とが形成されていることにより、熱発生源要素と中央処理装置とで発生した熱気は、それぞれ隔室ごとに排気口から排出される。しかも、吸気口は、排気口から排気された熱気を吸引しないようにされているため、熱発生源要素や中央処理装置を格納している隔室内は、熱気でこもることがない。よって、画像データのプリント注文受付装置は、小型化されても、中央処理装置が熱発生源要素で発生した熱の影響を受けることがないため、誤動作しないようにすることができる。なお、熱発生源要素は、電源や記憶装置などをまとめて一つの隔室に格納してもよいし、個別に格納してもよい。また、吸気口が排気口から排出された熱気を吸引しないようにするため、一方の隔室に形成された吸気口は、他方の隔室に形成された排気口から離隔した部位に配置されてもよいし、フードなどによって半分覆うようにしてもよい。
【００１３】
また、前記本発明に係る画像データのプリント注文受付装置において、前記隔室には、内部の熱気を前記排気口から強制的に排気するためのファンが備えられていることが好ましい。
【００１４】
この画像データのプリント注文受付装置によれば、隔室にファンが備えられていることにより、隔室内の熱発生源要素や中央処理装置で発生した熱が、強制的に排気口から排気されるとともに、吸気口から外気が強制的に吸入され、この外気が熱発生源要素や中央処理装置を冷却することができる。なお、吸気口は排気口から排気された熱気を吸入しないようにされているため、吸気口から吸入された外気によって熱発生源要素や中央処理装置を確実に冷却することができる。
【００１５】
また、前記本発明に係る画像データのプリント注文受付装置において、前記隔室は、前記筐体と筐体内を仕切る仕切板とによって形成されていることが好ましい。
【００１６】
この画像データのプリント注文受付装置によれば、隔室が仕切板と筐体とによって形成されることにより、隔室を効率的に設け、熱発生源要素と中央処理装置とを離間することができる。
【００１７】
また、前記本発明に係る画像データのプリント注文受付装置において、前記筐体は、土台部と、該土台部から傾斜した姿勢に立設された起立部とを有し、前記土台部内に前記熱発生源要素を格納した隔室が設けられ、前記起立部内に前記中央処理装置を格納した隔室が設けられていることが好ましい。
【００１８】
この画像データのプリント注文受付装置によれば、土台部内に熱発生源要素を格納した隔室が設けられることにより、重量のある電源などが筐体の下側に配置されるため、安定した姿勢とすることができる。また、中央処理装置は電源などに比べてはるかに軽量であるため、中央処理装置を格納した隔室が起立部内に設けられても、不安定とならないだけでなく、両隔室を完全に分離することができる。
【発明の効果】
【００１９】
本発明によれば、前記熱発生源要素と中央処理装置とをそれぞれ格納する隔室内が離間して設けられ、該各隔室に排気口と吸気口とが形成され、該吸気口が排気口から排気された熱気を吸引しないようにされていることにより、熱発生源要素と中央処理装置とで発生した熱気が隔室ごとに排気口から排出され、また、熱発生源要素で発生した熱気が中央処理装置を加熱することがない。したがって、この画像データのプリント注文受付装置は小型化を図ることができため、ＤＰＥ店の店頭に多くの画像データのプリント注文受付装置を設置したり、店内を有効利用したりすることが可能となる。
【発明を実施するための最良の形態】
【００２０】
本発明に係る画像データのプリント注文受付装置の一実施形態について図１および図２を参照しながら説明する。この画像データのプリント注文受付装置は、一つの筐体１０内に、入出力装置２０、熱発生源要素３０、中央処理装置４０が収納され、熱発生源要素３０と中央処理装置４０とがそれぞれ離間した隔室５０，６０内に格納されていることを特徴としている。筐体１０は、土台部１１と、この土台部１１から傾斜した姿勢に立設された起立部１２とを有している。そして、筐体１０内が仕切板５１，６１によって仕切られることにより、土台部１１の奥側と起立部１２とにそれぞれ第１と第２の隔室５０，６０が形成されている。
【００２１】
また、入出力装置２０は、記録媒体（図示せず）に記録された画像データを読み取る読取装置２１、読み取った画像データを表示してプリントしたい画像を選択するタッチパネル２２、選択された画像の情報や受付証などを印刷するプリンタ２３などを備えている。読取装置２１には、各種メモリーカードやＣＤ−ＲＯＭなどの記録媒体ごとに装填するスロット２１ａが筐体１０の土台部１１の前面に複数備えられている。したがって、読取装置は、第１の隔室５０内に格納されていない。
【００２２】
また、タッチパネル２２は、読み取られた画像データを表示し、任意の画像を選択できるように液晶表示装置を備えている。液晶表示装置は、筐体１０の第２の隔室６０の前面に露出するように配備されている。
【００２３】
また、プリンタ２３は、ロール状の記録紙を保持するホルダーがモータによって駆動され、サーマルプリントヘッドによって記録紙に情報を印刷するもので、筐体１０の土台部１１内であって、前記読取装置２１の下側に配備されている。したがって、プリンタ２３は、第１の隔室５０内に格納されていない。また、筐体１０の前面には、印刷された記録紙を排出するためのスリット１０ａが形成されている。
【００２４】
そして、熱発生源要素３０は、電源３１やハードディスクドライブなどの記憶装置３２、その他の熱を発生する部品であり、第１の隔室５０内に格納されている。電源３１は、前記プリンタ２３以外の装置や部品を駆動するための主電源と、プリンタ２３を駆動するための副電源とが備えられているが、この主電源と副電源が記憶装置３２を挟むようにレイアウトされている（したがって、図２においては一方の電源３１のみ図示している。）。
【００２５】
このような熱発生源要素３０を格納する第１の隔室５０は、筐体１０の土台部１１の奥側の部分と仕切板５１とによって形成される。仕切板５１は、平面視でコ字形に形成されており、中間部が背面側（図２において右側）に位置し、平面視でほぼ凹字形の第１の隔室５０が形成されている。したがって、主電源と副電源は、完全に第１の隔室５０内に格納され、記憶装置３２は、熱が発生する背面側のほぼ半分のみ第１の隔室５０内に格納されている。
【００２６】
そして、第１の隔室５０の底板と天板とには、吸気口５２と排気口５３とが形成されている。この吸気口５２と排気口５３は、異物が内部に侵入しないように、例えば格子を嵌めたような形状とされている。そして、第１の隔室５０内部の熱気を排気口５３から強制的に排気するためのファン５４が排気口５３付近に備えられている。このファン５４は、前記主電源に接続され、駆動する。なお、第１の隔室５０は、記憶装置３２全体を収納する大きさであってもよい。
【００２７】
そして、中央処理装置４０は、入出力装置２０や記憶装置３２などを制御するもので、マザーボード４１に搭載されたＣＰＵによって構成され、ＣＰＵ上には冷却装置４２が取り付けられている。マザーボード４１は、前記タッチパネル２２の裏面と平行となるように第２の隔室６０内に格納されている。第２の隔室６０は、筐体１０の起立部１２の側板と前記タッチパネル２２と仕切板６１とによって形成されている。なお、第２の隔室６０を形成している筐体１０は、図示したような半球状ではなく、箱型としてもよい。
【００２８】
この第２の隔室６０を形成している筐体１０の側部と上部とには、例えば格子を嵌めたような吸気口６２と排気口６３とが形成されている。この吸気口６２が筐体１０の側部に形成されていることにより、第１の隔室５０の排気口５３から排気された熱気が第２の隔室６０内に吸引されることがない。そして、第２の隔室６０内部の熱気を排気口６３から強制的に排気するためのファン６４が排気口６３付近に備えられている。このファン６４も、前記主電源に接続されて駆動する。
【００２９】
そして、前記読取装置２１、タッチパネル２２、プリンタ２３、記憶装置３２、マザーボード４１は、それぞれに取り付けられているコネクタを介してケーブル１によって接続されている。このケーブル１は、仕切板５１，６１を貫通して、記憶装置３２とマザーボード４１を接続する。したがって、仕切板５１，６１には、ケーブル１が貫通するためだけの小孔（図示せず）が形成されている。
【００３０】
本実施形態における画像データのプリント注文受付装置は、以上のように構成されていることにより、小型化されても、筐体１０内に熱がこもらないようにすることができる。すなわち、この画像データのプリント注文受付装置を使用している間は、熱発生源要素３０や中央処理装置４０が発熱し、第１および第２の隔室５０，６０内に熱気が生じる。第１および第２の隔室５０，６０は離間して設けられているだけでなく、ファン５４，６４が駆動されることにより、この熱気は排気口５３，６３から排気され、吸気口５２，６２から外気が吸入される。この外気によって、熱発生源要素３０や中央処理装置４０が冷却される。
【００３１】
また、第２の隔室６０が第１の隔室５０の上側に配置され、第１の隔室５０の排気口５３が第２の隔室６０の方を向いていても、第２の隔室６０の吸気口６２は、筐体１０の側部に形成されているため、第１の隔室５０の排気口５３から排気された熱気は、第２の隔室６０の吸気口６２から吸入されることがない。
【００３２】
また、各仕切板５１，６１には、ケーブル１が貫通する小孔が形成されているが、この小孔はケーブル１によってほとんど塞がれているため、第１の隔室５０で発生した熱気がこの小孔から第２の各室内に流入することはない。
【００３３】
このように、この画像データのプリント注文受付装置は、熱発生源要素３０や中央処理装置４０が一つの筐体１０内に備えられていても、それぞれ格納された第１と第２の隔室５０，６０の排気口５３，６３から熱気が排気され、吸気口５２，６２から外気が吸入されるため、小型化しても、中央処理装置４０は加熱されず、誤動作しないようにすることができる。
【００３４】
なお、本発明は、前記の実施形態に限定することなく、特許請求の範囲に記載された発明特定事項の範囲内において種々変更することができる。例えば、筐体１０は、土台部１１と起立部１２とを組み合わせたものではなく、傾斜姿勢の起立部１２と鉛直姿勢の起立部１２とを並列させたものとすることもできる。また、隔室５０，６０は、仕切板５１，６１と筐体１０とによって形成することなく、筐体１０内に収納するボックスによって形成し、このボックスと筐体１０とに連通する排気口５３，６３および吸気口５２，６２を形成してもよい。さらに、吸気口６２は、排気口５３から排気された熱気を吸引しないようにするフードを被せてもよい。
【図面の簡単な説明】
【００３５】
【図１】本発明に係る画像データのプリント注文受付装置の一実施形態を示す概略斜視図である。
【図２】に係る画像データのプリント注文受付装置の一実施形態を示す概略断面図である。
【符号の説明】
【００３６】
１０…筐体
１１…土台部
１２…起立部
２０…入出力装置
３０…熱発生源要素
３１…電源
３２…記憶装置
４０…中央処理装置
５０…第１の隔室
５１…仕切板
５２…吸気口
５３…排気口
５４…ファン
６０…第２の隔室
６１…仕切板
６２…吸気口
６３…排気口
【図１】
2007265142.tif 000003
【図２】
2007265142.tif 000004